(57)【特許請求の範囲】
【請求項１】
予期しない切断要求を処理する方法において、
加入者に接続されたアクセスノード（ＡＮ）をローカル交換機（ＬＥ）へＶ５インタフェース上で接続する段階と、
切断メッセージによって呼のセットダウンを実行する段階であって、該切断メッセージは、前記ローカル交換機（ＬＥ）から前記アクセスノード（ＡＮ）へ伝送され、この切断メッセージに基づいて、前記ローカル交換機（ＬＥ）における呼のリソースが解放される、前記段階と、
を備える方法であって、該方法は更に、
前記呼のために前記アクセスノード（ＡＮ）において確保されている呼のリソースを保持する段階と、
前記アクセスノード（ＡＮ）において前記切断メッセージを受信した後に、新たな呼のセットアップの要求メッセージを前記アクセスノード（ＡＮ）から前記ローカル交換機（ＥＸ）へ送ることによって、前記ローカル交換機（ＬＥ）に前記加入者は使用中であると通知して、前記ローカル交換機（ＬＥ）と前記アクセスノード（ＡＮ）との間に規定されない状態が発生するのを防止することを特徴とする方法。
【請求項２】
前記アクセスノード（ＡＮ）において確保されている前記呼のリソースは、前記新たな呼のセットアップのために使用される請求項１記載の方法。
【請求項３】
前記ローカル交換機（ＬＥ）からの前記切断メッセージが前記アクセスノード（ＡＮ）において受信されると、前記ローカル交換機に対する音声経路は前記アクセスノード（ＡＮ）において切り離される請求項１記載の方法。
【請求項４】
前記切断メッセージの応答が前記アクセスノード（ＡＮ）から前記ローカル交換機（ＬＥ）へ送られ、前記加入者の呼のリソースが前記アクセスノード（ＡＮ）において確保され続ける請求項１記載の方法。
【請求項５】
前記切断メッセージの応答の直後に、新たな呼のセットアップ要求メッセージが、前記アクセスノード（ＡＮ）から前記ローカル交換機（ＬＥ）に送られる請求項４記載の方法。
【発明の詳細な説明】
本発明は、請求項１の前文に規定するような予期しない切断要求の処理のためのプロシジャーに関する。
データ通信ネットワークにおけるローカル交換機への加入者の接続のために、広く知られている方法は、加入者がローカルネットワークに接続され、そのアクセスノードがローカル交換機に接続されているものである。
アクセスノードとローカル交換機との間の公開されているインターフェース（Ｖ５．１及びＶ５．２）は、ＥＴＳＩ（European Telecommunications and Standards Institute（ヨーロッパ電気通信及びスタンダード機構））スタンダードのＥＴＳ  ３００  ３２４及びＥＴＳ  ３００  ３４７シリーズに規定されている。Ｖ５インターフェースは、有線もしくは無線のどちらか一方の物理的に別個のローカルネットワークに属する加入者が、電話交換機のスタンダードインターフェースを使用して接続されることを可能にする。ＥＴＳ  ３００  ３４７−１及び３４７−２スタンダードと一致するダイナミック集信装置インターフェースＶ５．２は、１もしくは１よりも多数（１−１６）のＰＣＭ（Pulse Code Modulation（パルス符号変調））回線から成る。１ＰＣＭ回線は３２チャンネルを含み、各々が６４ｋビット／ｓの伝送速度を有するので、すなわち、１ＰＣＭ回線は全部で２０４８ｋビット／ｓを有する。Ｖ５．２インターフェースは、公衆電話網で使用されるようなアナログ電話機、例えばＩＳＤＮ（Integrated Services Digital Network（統合サービスデジタル網））ベーシックといったデジタル加入、システム加入を、半−固定接続に基づく他のアナログもしくはデジタル端末機器と同様にサポートする。
無線ローカルループ（ＷＬＬ）では、端末装置は、無線リンクを介してアクセスノード（ＡＮ）もしくはＷＬＬコントローラに接続される。アクセスノードはマルチプレクサ、クロスバスイッチ及び様々な伝送システムから構成され得る。ＷＬＬシステムは、例えばＧＳＭ／ＤＣＳ１８００技術（ＧＳＭ、Global System for Mobile Communications（移動通信のためのグローバルシステム）；ＤＣＳ、Digital Cellular System（デジタルセルラー方式システム））といったような移動電話システムで使用される技術に基づき得る。
ＧＳＭは、ＥＴＳＩによって標準化されたヨーロッパデジタル移動通信システムである。ＤＣＳ−１８００はＥＴＳＩによって標準化された移動通信システムであり、それはＧＳＭ仕様に基づき、マイクロセルのより有効な使用を目的とし、１８００ＭＨｚの周波数範囲で作動する。端末装置とアクセスノードとの間には基地局が有り、その基地局を介して、端末装置により無線チャネル上で伝送される呼の信号は、アクセスノードを経由して公衆電話網に伝送され、また、その逆も同様である。アクセスノードもしくはＷＬＬコントローラを、例えばＶ５．１もしくはＶ５．２インターフェースを使用して電話交換機に接続することができる。
Ｖ５インターフェースでアナログ加入者に信号を送るＰＳＴＮ（ＰＳＴＮ、Public Switch Telecommunication Network（公衆交換電気通信網））は、各々の国において国家的に規定されている。この理由のために、呼セットダウン時におけるシグナリングは、通信システムを稼働している国によって幾分変わり得る。
Ｖ５仕様によると、ローカル交換機は、切断メッセージをアクセスノードに送って、呼セットダウンを開始することができる。仕様によると、切断メッセージは、アクセスノードとローカル交換機の両方において、呼の切断及び呼のために確保されたリソースの解放を引き起こす。
通常、呼セットダウンは、加入者が電話を切った後にだけ開始される。もし、加入者が、呼が終わった後も電話を切らないならば、ローカル交換機は、アクセスノードに、加入者が電話を切ったと予想され、加入者への電圧供給を中断可能であることを示す信号メッセージを送ることができる。この後、もし、加入者が、受話器を取り上げられたままにし続けるならば、標準タイムアウト時間の経過の際に、ローカル交換機はアクセスノードに切断メッセージを送る。それから、アクセスノードは切断メッセージに応答する。これは、深刻な矛盾を生じる。ローカル交換機では、全リソースが解放されたが、加入者は受話器を取り上げたままにしている。これは、規定されていない状況である。この状況では、加入者は先の呼を終了するために電話を切っていないけれども、加入者への呼のための新しいセットアップ要求が受信され得る。
本発明の目的は、上述の欠点を削除することである。本発明の特定の目的は、通信システムが上述のような矛盾状況からできる限り迅速に回復することを可能にするプロシジャーを開示することである。
本発明のプロシジャーでは、アクセスノードは、予期しない切断メッセージをローカル交換機から受信し、ローカル交換機は、Ｖ５インターフェースを介してアクセスノードに接続される。切断メッセージは、ローカル交換機において呼リソースの解放を引き起こす。更に、本発明のプロシジャーでは、Ｖ５インターフェースに一致し、上記スタンダードに規定されているシグナリングが、アクセスノードと電話交換機との間の接続において使用される。それは、スタンダードＶ５インターフェースである。
本発明によると、ローカル交換機によって送られる切断メッセージに関わらず、アクセスノードにおいて呼のために必要とされるリソースが確保される。切断メッセージの応答の際に、即座に、ローカル交換機は、加入者が受話器を取り上げていることをローカル交換機に新しい呼を示す確立メッセージを送ることによって通知され、その結果、ローカル交換機は、要求された呼リソースを再び確保し、従って、加入者は、ローカル交換機においても同様に使用中であると見なされる。もし、加入者のリソースがアクセスノードで確保されるが、ローカル交換機で解放されるならば、これは規定されていない状況である。本発明のプロシジャーでは、このような状況は絶えず生じるが、シグナリングは依然として継続されているので、実際には、規定されていない状況が継続して発生することは防止される。
本発明は、ローカル交換機が、使用中もしくは例えば受話器を取り上げている加入者に新しい呼を伝送することを試みるかもしれないような、アクセスノードとローカル交換機との間の規定されていない状況の発生を防止することを可能にする。
プロシジャーの一実施例では、アクセスノードの確保された呼リソースは新しい呼のセットアップのために使用されるか、もしくは、少なくとも加入者は確保されたリソースを使用して新しい呼をセットアップする機会を与えられる。
プロシジャーの一実施例では、ローカル交換機からの切断メッセージがアクセスノードにおいて受信される場合、ローカル交換機へのアクセスノードの音声経路が切り離される。ローカル交換機が加入者をＶ５インターフェースで異なるタイムスロットに送っている時に生成される不明瞭な音を、加入者が聞くのを防止するために、音声経路は切り離される。
プロシジャーの一実施例では、切断メッセージの応答はアクセスノードからローカル交換機へ送られて、加入者の呼リソースはアクセスノードにおいて確保されたままにされる。更に、新しい呼セットアップメッセージが、応答のすぐ後にアクセスノードからローカル交換機へ送られる。従って、ローカル交換機は、呼セットダウンの応答及び加入者が使用中であることを示すメッセージを殆ど同時に受信する。加えて、ローカル交換機は、切断メッセージの応答を受信した後、その通常の動作を継続するので、加入者は、呼セットアップ要求に基づいてダイヤル音を与えられる。ローカル交換機によって伝送される話中音がダイヤル音に変更されるので、加入者は先の呼の切断に気づく。
以下では、本発明の一実施例におけるシグナリングのフロー図を示す添付図を参照して、一実施例で、本発明を詳細に説明する。
図は、通常の音声段階の後のアクセスノードＡＮとローカル交換機ＬＥとの間のシグナリングを例示する。音声段階の後に、ローカル交換機ＬＥは、信号メッセージをアクセスノードＡＮに送る。何故ならば、加入者は依然として受話器を取り上げているからである。信号メッセージは、アクセスノードＡＮに加入者への電圧供給を切断できることを伝える。話中音段階及び標準タイムアウトの後に、ローカル交換機ＬＥは切断メッセージをアクセスノードＡＮに送る。切断メッセージはローカル交換機ＬＥにおいて呼リソースを解放するが、アクセスノードＡＮでは、アクセスノードＡＮは切断メッセージの応答、すなわち切断＿終了メッセージをローカル交換機に送るけれどもリソースを解放しない。切断メッセージの応答を送る際に、すぐに、アクセスノードＡＮはローカル交換機ＬＥに新しい呼セットアップ要求、すなわち確立メッセージを送る。アクセスノードＡＮが切断メッセージを受信すると、アクセスノードＡＮは加入者の音声経路をローカル交換機ＬＥから切り離し、ローカル交換機ＬＥが、呼セットアップ要求の応答、すなわち確立_応答メッセージをアクセスノードＡＮに送ることによって応答すると、音声経路が開放される。これらの動作に関する重要な点は、もし、受話器が取り上げられたままであるならば、常に、アクセスノードＡＮが、加入者は使用中であるとローカル交換機ＬＥに伝えようと試みていることである。これは、加入者が依然として受話器を取り上げて、使用中である間は、ローカル交換機ＬＥがインカミング呼を加入者へ送るのを防止する。
ローカル交換機ＬＥは、応答を予期せずに、呼中に、切断＿終了メッセージを直接送ることもできる。ローカル交換機ＬＥは切断＿終了メッセージを送り、アクセスノードＡＮから応答がなければ呼リソースを解放する。この場合には、アクセスノードＡＮは上記と同様に進行できる。換言すると、切断＿終了メッセージを受信した後、アクセスノードＡＮは音声経路を切り離し、新しい確立メッセージを送る。そのメッセージから、ローカル交換機ＬＥは、加入者が使用中であり、加入者が新しい呼のセットアップを要求していることを知る。
本発明を、その好ましい実施例の１つを参照して、例で、上述の通り説明した。当然、これは、本発明を限定することを意味するものではなく、代わりに、多くの代替案及び変更が、請求の範囲により明確に定められている保護の範囲内で可能である。
0003862286.tif 000002